(57)【要約】      （修正有）【課題】断熱性、耐結露性、防水性に優れ、降雪地特有の環境に対応し、一般地域で使用されているユニットハウスとの互換性を有する多雪地域用ユニットハウスを提供する。【解決手段】ユニットハウス１０の屋根梁１２に沿って配置する補強梁２１を設ける。該補強梁２１に補強母屋を架設する。該補強母屋に補強屋根板２２を載置して耐雪屋根ユニット２０を構成する。該耐雪屋根ユニット２０をユニットハウス１０の柱１１に連結する。ユニットハウス１０の柱１１相互の間に、ブレースを内蔵したブレースパネル３０を設置する。該ブレースパネル３０をユニットハウス１０の屋根梁１２及び床梁１３と連結する。【選択図】図１
0003161858.tif 000002
【実用新案登録請求の範囲】
【請求項１】
ユニットハウスの屋根梁に沿って配置する補強梁と、該補強梁に架設された補強母屋と、該補強母屋に載置されユニットハウスの屋根板を被覆する補強屋根板とで耐雪屋根ユニットを構成し、該耐雪屋根ユニットをユニットハウスの柱に連結したことを特徴とする多雪地域用ユニットハウス。
【請求項２】
前記耐雪屋根ユニットを連結する前記ユニットハウスの柱相互の間に、ブレースを内蔵したブレースパネルを設置し、該ブレースパネルをユニットハウスの屋根梁及び床梁と連結するように構成した請求項１記載の多雪地域用ユニットハウス。
【請求項３】
前記ブレースパネルは、横枠と縦枠との４辺で構成された外枠と、該外枠の内側に緊締されるブレースと、該ブレースと外枠との間に生じた隙間に嵌合する三角形の断熱材と、該断熱材の前面及び背面に配置され、塗装鋼板に断熱材を貼り付けた２層構造のパネルとを備え、該パネルの断熱材を外枠内の断熱材に接着して外枠とパネルとを一体化した構成を成す請求項２記載の多雪地域用ユニットハウス。
【考案の詳細な説明】
【技術分野】
【０００１】
本考案は、一般地域で仮設現場事務所等として使用されるユニットハウスを、多雪地域でも使用可能にした多雪地域用ユニットハウスに関するものである。
【背景技術】
【０００２】
ユニットハウスは、フレ−ムシステムやパネルシステムの手法でユニット化したものを組み立てて使用する構造体である。例えば、柱、梁等の軸組材をユニット化したものを組み立ててフレ−ムとし、これにユニット化した壁パネルや床パネル等を組み立てて構成される。また、水平外力に抵抗するため、壁パネルの外側にブレースを設置することもある。このような構成により、ユニットハウスは、組み立てや解体は勿論、搬送も容易な構造体となっている。
【０００３】
特許文献１に記載されているユニットハウスは、多雪地域に構築したときに、屋根の上に積もる雪の荷重に対して、屋根構造を補強する手段が記載されている。この屋根構造では、ユニットハウスの屋根梁の上に補強梁材を載荷することで積雪荷重を支持しようとするものであり、積雪荷重は一般地域で使用しているユニットハウスの屋根板に載荷される構造である。
【先行技術文献】
【特許文献】
【０００４】
【特許文献１】実開平６−１５６０６
【考案の概要】
【考案が解決しようとする課題】
【０００５】
一般地域で使用されているユニットハウスの屋根梁は、多雪地域の積雪荷重に耐えるようには設計されていない。仮に、積雪荷重に耐えるようにユニットハウス全体の構造を強化すると、ユニットハウス自体の重量増やコストアップの問題が生じる。しかも、一般地域で使用しているユニットハウスとの互換性がなくなる不都合も生じる。
【０００６】
また、多雪地域のユニットハウスでは、雪が積もったときに作用する水平外力に抵抗するため、壁パネルの外側にブレースを設置する手段もある。ところが、多雪地域でブレースを使用すると、このブレースに雪や氷などが大量に付着するおそれがある。そのため、これらの雪や氷などが解体作業に支障が生じ、ブレースの運搬や施工時の効率が悪くなるなどといった施工上の問題が生じる。しかも、ブレースを設置すると間取りが不自由になる上、使用時のユニットハウスの美観が損なわれるなどの不都合も生じる。
【０００７】
一方、特許文献１に記載されている補強手段は、ユニットハウスの屋根梁に補強梁材を立設することで積雪時の荷重を支えようとするものである。ところが、この補強手段では、一般地域で使用しているユニットハウスの屋根板で直接積雪を支持する構造になっている。しかも、屋根梁に設置する補強梁材は、この屋根板を囲むようにして立設しているので、補強梁材にて囲まれるように積もった雪の荷重を、一般地域で使用している屋根板が直接支えることになる。この結果、積雪によって屋根板に発生する温度低下や結露、あるいは雪解け時に大量発生する融水など、降雪地特有の環境に対し、一般地域で使用している屋根板が全て対応することになるため、屋根板の耐久性に課題を有するものであった。
【０００８】
そこで本考案は、上述の課題を解消すべく案出されたもので、断熱性、耐結露性、防水性に優れ、降雪地特有の環境に対応すると共に、一般地域で使用されているユニットハウスとの互換性を有し、しかも、運搬、施工、解体作業の効率性を維持しながら、間取りの変更に支障がなく、美感も損なうことのない多雪地域用ユニットハウスの提供を目的とする。
【課題を解決するための手段】
【０００９】
この考案が提供する耐雪屋根ユニット２０は、上記のユニットハウスに生じている課題を解決せしめるためになされたもので、ユニットハウス１０を、通常のユニット化した構成材で組み立てた後、ユニットハウス１０の屋根のフレ−ムと、平面的に同寸法の耐雪屋根ユニット２０を連結し、通常のユニットハウス１０の屋根梁１２が本来負担する積雪荷重を耐雪屋根ユニット２０が受けるようにするための構造を提案するものである。
【００１０】
すなわち、本考案の第１の手段は、ユニットハウス１０の屋根梁１２に沿って配置する補強梁２１と、該補強梁２１に架設された補強母屋２３と、該補強母屋２３に載置されユニットハウス１０の屋根板１５を被覆する補強屋根板２２とで耐雪屋根ユニット２０を構成し、該耐雪屋根ユニット２０をユニットハウス１０の柱１１に連結したことにある。
【００１１】
第２の手段は、前記耐雪屋根ユニット２０を連結する前記ユニットハウス１０の柱１１相互の間に、ブレース３１を内蔵したブレースパネル３０を設置し、該ブレースパネル３０をユニットハウス１０の屋根梁１２及び床梁１３と連結するように構成している。
【００１２】
第３の手段において、前記ブレースパネル３０は、横枠３５と縦枠３６との４辺で構成された外枠と、該外枠の内側に緊締されるブレース３１と、該ブレース３１と外枠との間に生じた隙間に嵌合する三角形状の断熱材３２と、該断熱材３２の前面及び背面に配置され、塗装鋼板３４に断熱材３３を貼り付けた２層構造のパネルとを備え、該パネルの断熱材３３を外枠内の断熱材３２に接着して外枠とパネルとを一体化した構成である。
【考案の効果】
【００１３】
本考案の請求項１の如く、耐雪屋根ユニット２０をユニットハウス１０の柱１１に連結して使用することにより、一般地域で使用しているユニットハウスとの互換性を有するので、一般地域と多雪地域とで共通のユニットハウス１０を運用することが可能になった。
【００１４】
しかも、耐雪屋根ユニット２０は、ユニットハウス１０の柱１１に連結すればよいので、ユニットハウス１０の屋根梁１２すべてを補強するよりも、コスト面からも効率的である。また、耐雪屋根ユニット２０は、簡単に脱着可能なため、積雪シ−ズンにのみ使用することもできる。
【００１５】
また、ユニットハウス１０を施工した後、ユニットハウスの屋根梁１２の上部に耐雪屋根ユニット２０を連結し、耐雪屋根ユニットの補強屋根板２２にかかる積雪荷重を、補強母屋２３、補強梁２１を介してユニットハウス１０の柱１１に負担させることで、ユニットハウス１０の屋根梁１２の負担を低減し、多雪地域においても使用可能な強度が得られる。
【００１６】
耐雪屋根ユニット２０には補強屋根板２２が設置されているため、ユニットハウス１０の屋根板１５と合わせて二重屋根となり、断熱性、耐結露性、防水性が向上する。更に、耐雪屋根ユニット２０に積雪することで、ユニットハウス１０の屋根板１５は、積雪による負担を受けない。また、耐雪屋根ユニット２０の補強屋根板２２は、ユニットハウス１０の屋根板１５よりも簡単に修繕することが可能である。
【００１７】
請求項２の如く、前記耐雪屋根ユニット２０を連結する前記ユニットハウス１０の柱１１の相互間に、ブレース３１を内蔵したブレースパネル３０を設置し、該ブレースパネル３０をユニットハウス１０の屋根梁１２及び床梁１３と連結するように構成したことで、水平抵抗力が増大する。この結果、多雪地域のように、一般地域と比べて、ユニットハウス１０に作用する地震力、風圧力等の水平外力が大きくなっても十分耐えられる強度が得られる。
【００１８】
しかも、ブレース３１を内蔵したブレースパネル３０を使用することで、多雪地域でもブレースに雪や氷などが付着するおそれはなくなった。この結果、従来のブレース使用時に生じていた解体作業時の支障や、ブレースの運搬や施工時の効率が悪くなるなどといった施工上の問題、あるいは、ブレースの設置により間取りが不自由になり、ブレース使用時の美観が損なわれるなどといった各種の不都合は全て解消することができる。
【００１９】
また、ユニットハウス１０の柱１１の相互間に、ブレース３１を内蔵したブレースパネル３０を設置したことで、ブレースパネル３０は必要な箇所にのみ選択配置することができる。したがって、設置数を最小限に抑えつつ強度を確保することができる。
【００２０】
請求項３に記載の如く、ブレースパネル３０は、横枠３５と縦枠３６との４辺で構成された外枠と、該外枠の内側に緊締されるブレース３１と、該ブレース３１にて生じた隙間に嵌合する三角形の断熱材３２と、該断熱材３２の前面及び背面に配置され、塗装鋼板３４に断熱材３３を貼り付けた２層構造のパネルとを備え、該パネルの断熱材３３を外枠内の断熱材３２に接着して外枠とパネルとを一体化した構成であるから、ブレースパネル３０は通常のパネルと同等の断熱性能を有し、通常のパネルと同じように使用できる。
【００２１】
しかも、ブレースパネル３０は、外枠とパネルとを一体化した構成であるから、脱着可能となり、短時間での施工が可能である。また、積雪シ−ズンのみに使用することもできる。加えて、ブレースパネル３０は室内側から設置できる為、２階以上の階に設置された場合でも、施工後に取り外すことができる。
【図面の簡単な説明】
【００２２】
【図１】本発明の一実施例を示す分解斜視図である。
【図２】耐雪屋根ユニットとユニットハウス屋根の接続部の要部分解斜視図である。
【図３】耐雪屋根ユニットの分解斜視図である。
【図４】ブレースを内蔵したブレースパネルの分解斜視図である。
【図５】ブレースパネルとユニットハウスの接続方法を示す斜視図である。
【図６】ブレースパネルとユニットハウスの接続方法を示す要部正面図である。
【考案を実施するための形態】
【００２３】
このように本考案によると、断熱性、耐結露性、防水性に優れ、降雪地特有の環境に対応すると共に、一般地域で使用されているユニットハウスとの互換性を有し、しかも、運搬、施工、解体作業の効率性を維持しながら、間取りの変更に支障がなく、美感も損なうことがないといった当初の目的を実現した。
【実施例】
【００２４】
以下、この考案の実施例を図面によって説明する。本考案で使用するユニットハウス１０は、一般地域で使用されているユニットハウス１０を使用するもので、柱１１、梁等の軸組材をユニット化したものを組み立ててフレ−ムとし、これにユニット化した壁パネルや床パネル等を組み立てて構成される（図１参照）。
【００２５】
本考案の耐雪屋根ユニット２０は、この一般地域で使用されているユニットハウス１０の上に着脱自在に設置されるものであり、補強梁２１、補強母屋２３、補強屋根板２２で構成される（図３参照）。
【００２６】
補強梁２１は、ユニットハウス１０の屋根梁１２に沿って配置する部材である（図１参照）。図示の補強梁２１はトラス構造を成しており、軽量で積雪荷重に対して抵抗が強く形が崩れにくいように構成している。
【００２７】
補強母屋２３は、該補強梁２１に架設され、補強屋根板２２を支える部材である。図３は耐雪屋根ユニット２０の構成要素を分解したものである。耐雪屋根ユニット２０の補強梁２１の間には補強母屋２３があり、補強母屋２３の上に補強屋根板２２が設置される。
【００２８】
このように構成した耐雪屋根ユニット２０を、ユニットハウス１０の上部に連結することで、耐雪屋根ユニット２０を含んだユニットハウス１０全体の構造が強化される（図１参照）。このとき、耐雪屋根ユニット２０はユニットハウス１０の柱１１に連結し、積雪荷重をユニットハウス１０の柱１１が支持するように構成している（図２参照）。雪は耐雪屋根ユニット２０の補強屋根板２２に積もり、その積雪荷重は補強母屋２３、補強梁２１を介して、ユニットハウス１０の柱１１へ伝達される。このとき、ユニットハウス１０の屋根梁１２には積雪荷重がほとんど作用しない。なお、ユニットハウスの柱１１は、もともと十分な強度を有しているため、補強の必要はない。
【００２９】
図２は耐雪屋根ユニット２０と連結金具２４、ユニットハウス１０の接続部分の分解斜視図である。ユニットハウス１０の柱１１の上部に取り付けられている上下連結金具１４と連結金具２４をボルトで連結させることで、ユニットハウス１０と耐雪屋根ユニット２０とを連結させる。このとき、ユニットハウス１０の屋根梁１２と耐雪屋根ユニット２０の補強梁２１の間には、隙間が生じており、耐雪屋根ユニット２０に加わる荷重は全てユニットハウス１０の柱１１に集中するものである。
【００３０】
一方、耐雪屋根ユニット２０を連結する前記ユニットハウス１０の柱１１の相互間に、ブレース３１を内蔵したブレースパネル３０を設置する。このブレースパネル３０は、ユニットハウス１０の屋根梁１２及び床梁１３と連結するように構成したものである。図４はブレースを内蔵したブレースパネル３０を分解したものである。
【００３１】
このブレースパネル３０は、塗装鋼板３４に断熱材３３を貼り付けた２層構造のパネルの内部にブレース３１を装着したものである（図４参照）。すなわち、横枠３５と縦枠３６との４辺で外枠を構成する。この外枠の内側にブレース３１を配して緊締する。このブレース３１と外枠とで生じた隙間に三角形の断熱材３２嵌合する。更に、断熱材３２の前面及び背面に、前記２層構造のパネルを配置し、このパネルの断熱材３３を外枠内の断熱材３２に接着して外枠とパネルとを一体化した構成である。
【００３２】
図５はブレースパネル３０とユニットハウス１０の接続方法を示す斜視図である。このように、ブレースパネル３０は室内側から取り付ける構造になっている。
【００３３】
図６はブレースパネル３０とユニットハウス１０の接続方法を示す正面図である。ブレースパネル３０を室内側から取り付けた後、縦枠３６の上端とユニットハウス１０の屋根梁１２を連結ボルト３７で連結させる。同様に、縦枠３６の下端とユニットハウス１０の床梁１３を連結ボルト３７で連結させる。
【産業上の利用可能性】
【００３４】
本考案は、図示例に限定されるものではなく、耐雪屋根ユニット２０の構成は、本考案の要旨を変更しない範囲において自由に変更できるものである。また、ブレースパネル３０は、本考案多雪地域用ユニットハウスに用いるほか、一般地域で仮設現場事務所等として使用されるユニットハウスに利用することも可能である。
【符号の説明】
【００３５】
１０  ユニットハウス
１１  柱
１２  屋根梁
１３  床梁
１４  上下連結金具
１５  屋根板
２０  耐雪屋根ユニット
２１  補強梁
２２  補強屋根板
２３  補強母屋
２４  連結金具
３０  ブレースパネル
３１  ブレース
３２  断熱材
３３  断熱材
３４  塗装鋼板
３５  横枠
３６  縦枠
３７  連結ボルト
【図１】
0003161858.tif 000003
【図２】
0003161858.tif 000004
【図３】
0003161858.tif 000005
【図４】
0003161858.tif 000006
【図５】
0003161858.tif 000007
【図６】
0003161858.tif 000008